(57)【要約】【課題】  現在のリクライニング座椅子は、網材やスプリング材の上にウレタンホームを敷きつめ、外周を布材や皮革材で覆い仕上げられている。ウレタンホームは極めてすぐれた製品ではあるが、正直すぎて逃げがなく多数の人々が反復使用して与える着座圧力個所を見ると、反復使用回数の多い個所程外周仕上げ材の薄れ・やつれ個所が多い。【解決手段】  そこで本発明は同座椅子へのウレタンホームの使用を改め、軟質プラスチック・パイプ材のある一定長さごとにある一定ずつの内部空気圧を封じ込めた長尺圧力パイプを形成し、これを同座椅子の腰掛け面や背凭れ面に平行状やスパイラル状等に隙間なく層をなすよう敷きつめて使用してみると、かなりの日数を経過したがウレタンホームの時のような結果が表れず安堵している。【選択図】図１
2011255151.tif 000002
【特許請求の範囲】
【請求項１】
一定長さごとに一定内部空気圧を封じ込めて、何座椅子の何座面用と記名した軟質プラスチック・パイプ材よりなる長尺圧力パイプの電熱接着端部や弱レーザー等による熔着凝固端部等より、リクライニング座椅子の両座面上に敷きつめはじめるが、その圧力パイプを平行状やスパイラル状等に折り返しや折り曲げ或は巻き付け等を行うことにより、内部空気圧が上昇する分をそのたびごとに上昇内部空気圧分だけを外部に放出する安全弁装置を連結して行うリクライニング座椅子の長尺圧力パイプの敷きつめ方法。
【請求項２】
「請求項１」記載のリクライニング座椅子の腰掛け・背凭れ両座面上の圧力パイプより夫々別々に引き出したシールドパイプ（Ｐ）（Ｑ）・（Ｒ）（Ｓ）と、各座椅子の台座内等に設けた減圧弁及び足踏み等の加圧ポンプ（Ａ）（Ｂ）及び（Ｃ）（Ｄ）とで、客の好みに応じて腰掛け・背凭れ両座面のかたさを柔らかめから固めまで自由に調節できるようにしたリクライニング座椅子の構造。
【請求項３】
「請求項１」記載の座椅子は、就寝中の着座人の寝返りや嚔み・咳込み・咳ばらい等いかなる姿勢の変化にも、人間わざとは思えないす早さで不眠不休の対応する浮力的作用は、他ならぬ重力場に於ける圧力流体内の物体の浮力につき解析したアルキメディスの原理の通り、就寝人の姿勢の変化即ち着座圧力の変化は、圧力流体即ち隙間なき層状敷きつめの圧力パイプ内に占める就寝人の位置が更に深まりより広い層状敷つめ圧力パイプ表面々積から均当な上向きの力即ち浮力を受けると云うことで、寝具にも綿・真綿・羽毛等様々でソフトで高級感を出そうと必至であるが、肝心要の本発明のような就寝人の無意識の内の一挙手一投足で浮力的作用が増々加わり長旅の疲れが軽減されることは極めて有意義なことである。
【発明の詳細な説明】
【技術分野】
【０００１】  従来からのリクライニング座椅子は、網材やスプリング材の上にウレタンホームを部厚く（厚みが厚い意。）敷きつめ外周を布材や皮革材で覆い作られてきた。
【背景技術】
【０００２】  宇宙飛行士の訓練ぶりや活躍ぶりは華々しく報じられているものゝ、地震や台風等の災害時、自家用車のリクライニング座椅子にひっそりと着座し続けて罹るセカンドクラス症候群的症状には、たゞ時々は立ち上り外歩きするようにとのアドバイスしかないのが実状である。
【発明の開示】
【発明が解決しようとする課題】
【０００３】  現在盛に製造され使用されているウレタンホームは、軽量・無害でその上緩衝力・柔軟性・断熱性・保温性・防音性・可塑性等々他品目の追隋を許さないすぐれた製品ではあるが、反面正直すぎて工学的には逃げ隠れできないのが弱点で、似たような体格・体形の多数の人々が反復使用するリクライニング座椅子の反復使用個所を見ると、その回数の多い個所程外周仕上げ材の布材や皮革材の薄れ・やつれ状態を呈する個所が多い。
【課題を解決するための手段】
【０００４】  そこで本発明は、リクライニング座椅子の腰掛け面・背凭れ面への部厚いウレタンホームの敷きつめを改め、軟質プラスチック・パイプ材のある一定長さずつに先々異なる内部空気圧を封じ込めた長尺圧力パイプ材を、リクライニング座椅子の腰掛け・背凭れ両座面上に平行状やスパイラル状等に隙間なく層をなすよう敷きつめて、外周を上記同様布材や皮革材に仕上げして注意して使用してみると、かなりの日数を経過しても従来からのウレタンホームのような薄れ・やつれ状態が表れず安堵している。
【発明の効果】
【０００５】  多数の着座客が与える同じような個所の着座圧力を、ウレタンホームはその個所のウレタンホームだけで受け止めようと必至に受け止めた結果が外周仕上げ材の布・皮革材の薄れ・やつれの現象であり、発明構造のリクライニング座椅子では同じような個所の着座圧力を決してその個所だけで受け止めようとはせずに逃げ込むように自パイプ内に沈み込み、封じ込まれていた内部空気圧力は連結する非加圧部分の残余圧力パイプ内に送り込んで時期を待ち、一方送り込まれて過剰圧力をかゝえ込んだ残余圧力パイプは虎視眈々と着座客の立ち去りを待ち、着座客の立ち去り数秒後には残余圧力パイプの過剰圧力は沈み込みパイプ内にもどり何事もなかったように原形を回復するものである。
【発明を実施するための最良の形態】
【０００６】  先ず、図３図４に示すシリンダー９先端の圧力パイプ取付所１０に平行状に設置したテーブル上に、必要長さよりやゝ長い軟質プラスチック・パイプ材をのせ、手前側先端部を電熱接着或は弱レーザー等で熔着凝固させ、向側先端部をシリンダー９先端部のパイプ材取付所１０に嵌着して加工中に脱落せぬようバンド止めし、圧力ゲージ１１を注視しつゝピストン８を操作してパイプ内の空気圧を上昇させ、パイプ内の空気圧が所定の一定内部空気圧に到達後、圧力パイプ取付所１０よりやゝ離れた位置でパイプ材を挟み具でしっかりと挟み付けてパイプ取付所１０より取りはずす。【０００７】  次に図５に示す安全弁装置の調節スプリング１３を調節して圧力パイプ内の圧力が所定の一定内部空気圧を越えて上昇したときには、その過上昇内部空気圧をたゞちに防塵網１４より外部に放出する安全弁装置の圧力パイプ取付所１２側に上記のシリンダー９側より取りはずしたパイプ材の端部を嵌着して同様に脱落せぬようバンド止めし、何用のパイプと記名しておく。【０００８】  記名された長尺圧力パイプ１・２は図１図２に示すリクライニング座椅子用で、腰掛け面では正面に平行状に背凭れ面では縦方行に折り返えしまた折り返えす方法で隙間なく層をなすよう敷きつめて、夫々の折り返えし部外側の波形隙間には柔らかなウレタンホーム６が充填されている。また腰掛け・背凭れ両座面上の折り返えし部折り返えし部の内側位置には、使用する長尺圧力パイプの直径に応じたピツチで取り付けられた結束紐５で圧力パイプ１・２を結束止めしてその移動を防止し、更にその両座面上に薄くて弾力性に富むウレタンホーム６をかぶせ、外部を布材や皮革材で仕上げしている。【０００９】  さて次に記名１６・１７の長尺圧力パイプの図６図７に示すリクライニング座椅子の角スパイラル形成方法を図８図９図１０につき詳述すると、背凭れ面と同一形状の金属厚板材よりなる角回転板１９と図１０の硬質プラスチック枠材よりなる角網外枠２０の外周とは同一形状で、僅かに４周より内部に伸びる枠平部分には網材系を引掛け網組みする多数の引掛け鉤２０′が設けられ、またその内部には同じく硬質プラスチック角平板材よりなり周囲に多数の網糸引掛け鉤２０’を有する角網内部枠２１が、その中心位置に網組み後角網全体の回転を司る４角孔Ｅを有して設けられている。【００１０】  また角回転板１９と角網内外枠２０・２１とを同一回転させるため角回転板１９の中心部に熔着された回転軸台座２３は、図９及び袋ナツト２４内の詳細を示した図１１にも示す如く、図面左側の外側中心部に回転軸２３’を有し、また図面右側の中心部には角網内枠２１中心の４角孔Ｅに合致して角回転板１９と角網内外枠とを同一回転させる４角突部Ｆとそのまた中心部より出て袋ナツト２４の締めつけで角回転板１９と角網内枠２１とを締付け固定するネジ２４’と、更に袋ナツト２４の袋上面中心部に回転軸２３’と同一中心線上の同一直径同一長さの回転軸２４”が設けられている。【００１１】  そこで角網内外枠２０・２１間の多数の網糸引掛け鉤２０’間に十重二十重に網糸掛けして網組みした内枠２１中心位置の角網全体の回転を司る４角孔Ｅに回転軸台座２３の図面右側の４角突部Ｆを合致させて袋ナツト２４を締付け、角回転板１９と網組み終了後の角網との間に図９図１２図１３に示す如く２本柱の回転台２５の柱上部のＵ字溝２５’内で回転させながら竹べら等で調整しながら長尺圧力パイプ１７を巻き付ければ圧力パイプ１７をねじることなく巻き付けできる効果がある。【００１２】  このようにして本発明のリクライニング座椅子の背凭れ面角スパイラル巻きは形成できるが、全く同様にして腰掛け面角スパイラル巻きもできることは明らかであり、巻き付け終了後は圧力パイプが巻もどし現象を生じないよう接着テープ等で端部始末をしておくとよい、かくして角座スパイラルが可能となり円形であれ楕円形であれ角丸複合体であれ図８図９図１０に示した角回転板や角網等を複合体形状にし、両者が同一回転するようの回転軸台座と巻き付け目安線に太い細いの場所とを画き置けば、軟質パイプ材ゆえにその通り巻き付けできる筈である。【００１３】  また図２図７に示した両座椅子の台座７後方のＰＱ・ＲＳは夫々腰掛け・背凭れ両座の圧力パイプより別々に出たシールドパイプで、夫々の台座７内の減圧弁と足踏み等の加圧ポンプＡＢ・ＣＤとで夫々の座椅子の着座面を客の好みに応じ柔らかめからかためまで自由に調節することができる。【００１４】  また本発明のリクライニング座椅子は、就寝中の着座人の寝返りや嚔み・咳込み・咳ばらい等のいかなる姿勢の変化にも、不眠・不休でとても人間業とは思えないす早さで対応する浮力的作用は、他ならぬ重力場に於ける圧力流体中の物体（人間もその一種）の浮力を解析したアルキメディスの原理の通り、就寝人の姿勢の変化即ち着座圧力の変化は、圧力流体即ち隙間なき層状敷きつめ圧力パイプ内に占める就寝人の位置が更に深まりより広い層状敷きつめ圧力パイプ表面々積から均当な上向きの力即ち浮力を受けると云うことである。【００１５】  このようなリクライニング座椅子を長距離を走行する大形バスや高速鉄道或は長距離航空や世界各地を周遊する船舶等に導入すれば、客の長旅の疲れはいちじるしく軽減され歓ばれることであろう。
【図面の簡単な説明】
【００１６】
2011255151.tif 000003
【図５】安全弁装置の断面図である。
【図８】角回転板の正面図である。
【図９】２本柱の回転台上部付近の断面図である。
【図１０】角網内外枠正面図である。
【図１１】回転軸台座付近詳細図である。
【図１２】２本柱回転台上部断面図（イ）と側面図（ロ）とである。
【図１３】角網内枠側より見た２本柱上部付近側面図である。
【符号の説明】
【００１７】１、１６＝圧力パイプ（腰掛け座用）
２、１７＝圧力パイプ（背凭れ座用）
３、１８＝背凭れ座支え金
４      ＝肘掛け
５      ＝結束紐
６      ＝ウレタン
７      ＝台座
８      ＝ピストン
９      ＝シリンダー
１０、１２＝圧力パイプ取付所
１１      ＝圧力ゲージ
１３      ＝圧力調節スプリング
１４      ＝防塵網
１５      ＝安全弁
１９      ＝角回転板
２０      ＝角網外枠
２１      ＝角網内枠
２０’    ＝網材引掛け鉤
２２      ＝巻き付け目安線
２３      ＝回転軸台座
２４      ＝袋ナツト
２３’、２４”＝同一中心線上回転軸
２４’    ＝袋ナツト締付ネジ
２５      ＝２本柱回転台
２５’    ＝Ｕ字溝
Ｅ        ＝４角孔（角網内枠中心）
Ｆ        ＝４角突部（回転軸台座２３の、袋ナツト締付ネジ２４’のつけ根）
Ｐ、Ｑ    ＝圧力パイプ１、２より出るシールドパイプ
Ｒ、Ｓ    ＝圧力パイプ１６、１７より出るシールドパイプ
Ａ、Ｃ    ＝減圧弁
Ｂ、Ｄ    ＝足踏み加圧ポンプ
【図１】
2011255151.tif 000004
【図２】
2011255151.tif 000005
【図３】
2011255151.tif 000006
【図４】
2011255151.tif 000007
【図５】
2011255151.tif 000008
【図６】
2011255151.tif 000009
【図７】
2011255151.tif 000010
【図８】
2011255151.tif 000011
【図９】
2011255151.tif 000012
【図１０】
2011255151.tif 000013
【図１１】
2011255151.tif 000014
【図１２】
2011255151.tif 000015
【図１３】
2011255151.tif 000016
【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
一定長さごとに一定内部空気圧を封じ込めて、何座椅子の何座面用と記名した軟質プラスチック・パイプ材よりなる長尺圧力パイプの電熱接着端部や弱レーザー等による熔着凝固端部等より、リクライニング座椅子の両座面上に敷きつめはじめるが、その圧力パイプを平行状やスパイラル状等に折り返しや折り曲げ或は巻きつけ等を行うことにより内部空気圧が上昇するのを、そのつど内部空気圧の上昇分だけを外部に放出する安全弁装置を連結して行うリクライニング座椅子の長尺圧力パイプの敷きつめ方法。
【請求項２】
「請求項１」記載のリクライニング座椅子の腰掛け・背凭れ両座面上の圧力パイプより夫々別々に引き出したシールドパイプ（Ｐ）（Ｑ）及び（Ｒ）（Ｓ）と、各座椅子の台座内等に設けた減圧弁及び足踏み等の加圧ポンプ（Ａ）（Ｂ）及び（Ｃ）（Ｄ）とで、客の好みに応じ腰掛け・背凭れ両座面のかたさを柔らかめから固めまで自由に調節できるようにしたリクライニング座椅子の構造。
【請求項３】
「請求項１」記載のリクライニング座椅子は、就寝中の着座人の寝返りや嚔み・咳込み・咳ばらい等いかなる姿勢の変化にも、人間わざとは思えないす早さで不眠不休の対応する浮力的作用は、他ならぬ重力場に於ける静止圧力流体内の物体の浮力につき解析したアルキメディスの原理の通り、就寝人の姿勢の変化即ち着座圧力の変化は、圧力流体即ち隙間なき層状敷きつめの圧力パイプ内に占める就寝人の位置が更に深まりより広い層状敷きつめの圧力パイプ表面から均等な上向きの力即ち浮力を受けると云うことで、就寝人の無意識中の一挙手一投足で浮力的作用が増々加わる大変な体重軽減の身軽さ感覚に長旅の疲れがすつかり癒され、爽快な朝の目覚めを迎えさせてくれるアルキメディスの原理引用のリクライニング座椅子。
【手続補正書】
【提出日】平成22年8月30日(2010.8.30)
【手続補正２】
【補正対象書類名】明細書
【補正対象項目名】００１１
【補正方法】変更
【補正の内容】
【００１１】  そこで角網内外枠２０・２１間の多数の網糸引掛鉤２０’間に十重二十重に網糸掛けして網組みした内枠２１中心位置の角網全体の回転を司る４角孔Ｅに回転軸台座２３の図面右側の４角突部Ｆを合致させて袋ナツト２４を締付け、角回転板１９と網組み終了後の角網とを次に図９図１２図１３に示す如く２本柱の回転台２５の柱上部のＵ字溝２５’内で回転させながら竹べら等で調整して長尺圧力パイプ１７を巻き付ければ圧力パイプ１７をねじることなく巻き付けできる効果もある。
【手続補正３】
【補正対象書類名】明細書
【補正対象項目名】００１４
【補正方法】追加
【補正の内容】
【００１４】  また本発明のリクライニング座椅子は、就寝中の着座人の寝返りや嚔み・咳込み・咳ばらい等の姿勢の変化にも、不眠・不休でとても人間わざとは思えないす早やで対応する浮力的作用は、他ならぬ重力場に於ける静止圧力流体中の物体の浮力につき解析したアルキメディスの原理の通り、就寝人の姿勢の変化即ち着座圧力の変化は、静止圧力流体即ち隙間なき層状敷つめ圧力パイプ内に占める就寝人の位置が更に深まりより広い層状敷きつめ圧力パイプ表面々積から均等な上向きの力即ち浮力を受けると云うことで、就寝人の無意識中の一挙手一投足で浮力的作用が増々加わる大変な体重軽減の身軽さ感覚に、長旅の疲れもすっかり癒され爽快な朝の目覚めを迎えさせてくれるリクライニング座椅子である。
【手続補正書】
【提出日】平成22年9月21日(2010.9.21)
【手続補正１】
【補正対象書類名】明細書
【補正対象項目名】００１５
【補正方法】変更
【補正の内容】
【００１５】      このようなリクライニング座椅子を長距離を走行する大形バスや高速鉄道或は長距離航空や世界各地を周遊する船舶等に導入すれば、客の長旅の疲れはいちじるしく軽減され歓ばれることであろう。  なお、角網内・外枠４周囲の多数の網糸引掛け鉤２０′の位置に鉤に替え適宜の長さずつの細溝穴を設け、その相対する細溝間にあたかもタオル掛けにタオルを掛ける如く掛け合わせたジーンズ等の綿布の各折返し部を縫止めして内外枠位置を規定することもできる。そしてその綿布規定の内外枠と角回転板１９との間にスパイラル巻き等した長尺圧力パイプ１７等の移動防止用接着剤止めを綿布周囲に施せばよい。
【手続補正２】
【補正対象書類名】明細書
【補正対象項目名】００１７
【補正方法】変更
【補正の内容】
【００１７】１９＝角回転板２０、２１＝角網外枠、角網内枠２０′＝網糸引掛け鉤２２＝巻付け目安線２３＝回転軸台座２４＝袋ナット２４′＝袋ナット締付けネジ２３′＝２４″  同一中心線上回転軸（同一直径・同一長さ）２５＝２５′  ２本柱回転台、同上Ｕ字溝Ｅ＝４角孔（角網内枠中心）Ｆ＝４角突部（回転軸台庄中心より出る突部・袋ナット締付けネジもこの中心より出ている）
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
一定長さごとに一定内部空気圧を封じ込めて、何座椅子の何座面用と記名した軟質プラスチック・パイプ材よりなる長尺圧力パイプの電熱接着端部や弱レーザー等による熔着凝固端部等より、リクライニング座椅子の両座面上に敷きつめはじめるが、その圧力パイプを平行状やスパイラル状等に折り返しや折り曲げ或は巻き付け等を行うことにより内部空気圧が上昇するのを、そのつど内部空気圧の上昇分だけを外部に放出する安全弁装置を連結して行うリクライニング座椅子の長尺圧力パイプの敷きつめ方法。
【請求項２】
「請求項１」記載の如く折り曲げ巻きつけ等による過剰内部圧力をそのつど外部に放出した長尺圧力パイプの平行状やスパイラル状等よりなるリクライニング座椅子の腰掛け・背凭れ両座面は、着座人との接触面全体を夫々座面の均等支え圧力で支え、アルキメディスの原理の静止圧力流体内の物体の受ける上向きの力浮力も勿論受けて着座人はあたかも温湯船に座するが如く何らの苦痛を感ずることなく着座し続けられる効果がある。
【請求項３】
「請求項１」記載のリクライニング座椅子の腰掛け・背凭れ両座面上の圧力パイプより夫々別に引き出したシールドパイプ（Ｐ）（Ｑ）及び（Ｒ）（Ｓ）と、各座椅子の台座内等に設けた減圧弁及び足踏み等の加圧ポンプ（Ａ）（Ｂ）及び（Ｃ）（Ｄ）とで、夏・冬の客の衣服の薄さ厚さの変化に応じ座面かたさを微妙に変化させることができる。
【手続補正２】
【補正対象書類名】明細書
【補正対象項目名】００１４
【補正方法】変更
【補正の内容】
【００１４】長尺圧力パイプの折り曲げ巻き付け等による内部空気圧の上昇分をそのつど外部に放出して平行状やスパイラル状等に隙間なく層をなすよう敷きつめたリクライニング座椅子の腰掛け・背凭れ両座面は、着座人との接触面全体を夫々座面の均等圧力で支え、アルキメディスの原理の静止圧力流体内の物体の受ける上向きの浮力も勿論受けて、着座人は何らの苦痛を感ずることなく着座し続けることができる効果がある。